(57)【要約】【課題】  ユーザが、例えば記録媒体に記録された情報を、整理整頓しつつ、より簡便に記録、複製又は移動せしめることを可能とする。【解決手段】  （ｉ）コンテンツを少なくとも含む情報を記録可能なデータエリア（１０２）と、（ｉｉ）情報の属性に基づいて、情報を第１記録媒体（ＨＤＤ）から第２記録媒体（１００）へ記録、複製又は移動させる自動編集記録を起動させるための起動情報を記録可能な起動情報記録エリア（１０５）とを備える。【選択図】  図８
2006236478.tif 000002
【特許請求の範囲】
【請求項１】
映像情報、音声情報、及び文字情報のうち少なくともいずれか１つのコンテンツを含む情報を記録可能なデータエリアと、
前記情報の属性に基づいて、第１記録媒体から第２記録媒体へ、前記情報を複製又は移動させる自動編集記録を起動させるための起動情報を記録可能な起動情報記録エリアと
を備えることを特徴とする情報記録媒体。
【請求項２】
前記自動編集記録は、更に、ユーザが所望する前記コンテンツを含む前記情報の属性に基づいて、前記情報を複製又は移動させることを特徴とする請求項１に記載の情報記録媒体。
【請求項３】
前記起動情報記録エリアには、前記起動情報として、前記自動編集記録を起動可能か否かを示すフラグ情報が記録可能であることを特徴とする請求項１又は２に記載の情報記録媒体。
【請求項４】
前記起動情報記録エリアには、前記起動情報として、前記属性を示す属性情報が記録可能であることを特徴とする請求項１から３のうちいずれか一項に記載の情報記録媒体。
【請求項５】
前記起動情報記録エリアには、前記起動情報として、前記自動編集記録を制御するための制御情報が記録可能であることを特徴とする請求項１から４のうちいずれか一項に記載の情報記録媒体。
【請求項６】
前記属性情報は、前記属性として、複数種類の属性要素を示し、
前記制御情報は、前記複数種類の属性要素のうち少なくとも一つに基づいて、前記自動編集記録を制御することを特徴とする請求項５に記載の情報記録媒体。
【請求項７】
前記複数種類の属性要素は、当該属性要素の性質に基づいて、階層構造を形成可能であり、
前記制御情報は、前記複数種類の属性要素における階層構造に基づいて、前記自動編集記録を制御することを特徴とする請求項６に記載の情報記録媒体。
【請求項８】
前記複数種類の属性要素は、当該属性要素の性質に基づいて、階層構造を形成可能であり、
前記制御情報は、前記自動編集記録の制御として、当該自動編集記録の完了後に、前記階層構造に基づいて、前記情報を再生させることを特徴とする請求項６又は７に記載の情報記録媒体。
【請求項９】
前記制御情報は、前記自動編集記録の制御として、前記第１記録媒体に記録されている情報のうち、一の属性に対応される、他の属性を保持する情報を、前記第２記録媒体へ、複製又は移動させることを特徴とする請求項５から８のうちいずれか一項に記載の情報記録媒体。
【請求項１０】
前記制御情報は、前記自動編集記録の制御として、一の属性に対応される、他の属性を保持する情報を、外部ネットワーク、又は放送信号から、所定の時間に、前記第１記録媒体に記録させることを特徴とする請求項５から９のうちいずれか一項に記載の情報記録媒体。
【請求項１１】
前記制御情報は、前記自動編集記録の制御として、更に、前記他の属性を保持する情報を、外部ネットワーク、又は放送信号から、所定の時間に、前記第２記録媒体に記録させることを特徴とする請求項１０に記載の情報記録媒体。
【請求項１２】
前記起動情報記録エリアには、前記属性情報、及び前記制御情報のうち少なくとも一方の取得を制御するための取得制御情報が記録可能であることを特徴とする請求項４から１１のうちいずれか一項に記載の情報記録媒体。
【請求項１３】
前記取得制御情報は、外部ネットワークを介した前記一方の取得を、制御することを特徴とする請求項１２に記載の情報記録媒体。
【請求項１４】
前記取得制御情報は、放送信号に含まれる電子番組表（ＥＰＧ：Electric Program Guide）を介した前記一方の取得を、制御することを特徴とする請求項１２に記載の情報記録媒体。
【請求項１５】
（ｉ）前記情報を暗号化又は復号化するための鍵となるキー情報、（ｉｉ）前記暗号化又は復号化を制御する暗復号化制御情報、及び（ｉｉｉ）前記暗号化又は復号化を管理しつつ、前記情報の再生を制御する再生制御情報のうち少なくとも一つを記録可能な制御情報記録エリアを更に備えることを特徴とする請求項１から１４のうちいずれか一項に記載の情報記録媒体。
【請求項１６】
前記情報に付加される付加情報を記録可能な付加情報記録エリアを更に備えることを特徴とする請求項１から１５のうちいずれか一項に記載の情報記録媒体。
【請求項１７】
前記起動情報記録エリア、前記制御情報記録エリア、及び前記付加情報記録エリアのうち少なくとも一つにおいては、各種情報が予めプリ記録されていることを特徴とする請求項１５、又は１６に記載の情報記録媒体。
【請求項１８】
前記情報記録媒体は、（ｉ）前記データエリア、及び（ｉｉ）前記情報の再生のみを専ら行うための再生専用エリアを少なくとも備えたハイブリッド型の情報記録媒体であり、
前記起動情報記録エリア、前記制御情報記録エリア、及び前記付加情報記録エリアのうち少なくとも一つにおいては、各種情報が前記再生専用エリアの一部として予めプリ記録されていることを特徴とする請求項１５、又は１６に記載の情報記録媒体。
【請求項１９】
属性を保持するコンテンツを含む情報を記録する情報記録装置であって、
前記情報を記録する記録手段と、
第１記録媒体に記録されている情報のうち、一の属性に対応される、他の属性を保持する情報を検索する検索手段と、
前記検索された情報を、前記第１記録媒体から第２記録媒体へ記録させるように前記記録手段を制御する制御手段と
を備えることを特徴とする情報記録装置。
【請求項２０】
属性を保持するコンテンツを含む情報を記録する情報記録装置であって、
前記情報を記録する記録手段と、
前記情報の属性に基づいて、第１記録媒体から第２記録媒体へ、前記情報を複製又は移動させる自動編集記録を制御する制御情報を取得する取得手段と、
前記取得された制御情報に基づいて、前記自動編集記録を行わせるように前記記録手段を制御する制御手段と
を備えることを特徴とする情報記録装置。
【請求項２１】
属性を保持するコンテンツを含む情報を記録する記録手段を備えた情報記録装置における情報記録方法であって、
第１記録媒体に記録されている情報のうち、一の属性に対応される、他の属性を保持する情報を検索する検索工程と、
前記検索された情報を、前記第１記録媒体から第２記録媒体へ記録させるように前記記録手段を制御する制御工程と
を備えることを特徴とする情報記録方法。
【請求項２２】
属性を保持するコンテンツを含む情報を記録する記録手段を備えた情報記録装置における情報記録方法であって、
前記情報の属性に基づいて、第１記録媒体から第２記録媒体へ、前記情報を複製又は移動させる自動編集記録を制御する制御情報を取得する取得工程と、
前記取得された制御情報に基づいて、前記自動編集記録を行わせるように前記記録手段を制御する制御工程と
を備えることを特徴とする情報記録方法。
【請求項２３】
請求項１９に記載の情報記録装置に備えられたコンピュータを制御する記録制御用のコンピュータプログラムであって、該コンピュータを、前記記録手段、前記検索手段、及び、前記制御手段のうち少なくとも一部として機能させることを特徴とするコンピュータプログラム。
【請求項２４】
請求項２０に記載の情報記録装置に備えられたコンピュータを制御する記録制御用のコンピュータプログラムであって、該コンピュータを、前記記録手段、前記取得手段、及び、前記制御手段のうち少なくとも一部として機能させることを特徴とするコンピュータプログラム。
【発明の詳細な説明】
【技術分野】
【０００１】
本発明は、例えばレーザ光を照射することによって記録及び再生が可能な、例えばＤＶＤや、ＣＤ（Compact Disc）等の情報記録媒体、当該情報記録媒体に情報を記録するためのＤＶＤレコーダ等の情報記録装置及び方法、並びに、記録制御用のコンピュータプログラムの技術分野に関する。
【背景技術】
【０００２】
最近、（ｉ）情報記録装置においては、例えばＤＶＤレコーダー等の情報記録再生装置が家庭に普及され、市場が拡大しつつある。この情報記録装置は、例えば自動的に録画（記録）する機能等を備え、多機能化する傾向がある。他方で、この情報記録装置等を含むＡＶ（Audio Video）機器の操作に不慣れな、例えばお年寄り等のユーザへの普及も進行している。
【０００３】
このような多機能化の実現と、ユーザによる操作性の向上とを両立させるため、自動的に録画予約を行う機能や、より簡単な操作により録画予約を行う機能を備える情報記録装置も市場に出現している。
【０００４】
また、例えばＨＤＤ（Hard Disc Drive）等の大容量記録媒体を内蔵したＤＶＤレコーダー等の情報記録再生装置も市場に出現している。しかしながら、例えばＨＤＤ等の大容量記録媒体は、情報記録再生装置に固定され、可搬性がなく、記録容量にも限界がある。このため、ユーザが録画したコンテンツ等の情報を永久的に保存するには、記録型ＤＶＤ等の可搬性のある情報記録媒体への記録が一般的に行われている。
【０００５】
他方、（ｉｉ）例えば放送番組を搬送する放送波においては、ドラマや、アニメや、スポーツ等の放送番組コンテンツに、操作メニュー等のプログラムが付加され、例えばＤＶＤやＶＴＲ等の情報記録媒体に記録されるという、所謂、パッケージソフト化されることに対する需要も、ユーザ側やコンテンツ製作者側で大きくなっている。
【０００６】
また、地上波デジタル放送が将来的に開始されることによって、番組チャンネル数が増加されデータ量の飛躍的な増加が推測される。
【０００７】
加えて、放送番組コンテンツに対する著作権保護を強固にするための暗号化及び復号化システムの構築も早急に必要となっている。
【０００８】
更に、他方、（ｉｉｉ）情報記録媒体においては、２種類の物理的特性を併せ持つハイブリッド型光ディスクが提案されている。詳細には、このハイブリッド型光ディスクは、例えばＣＤ−Ｒ、ＤＶＤ−Ｒ、又は、ＤＶＤ−ＲＷ等の記録型光ディスクと同様の記録可能な記録領域と、例えばＣＤ−ＲＯＭ、ＤＶＤ−ＲＯＭ等の再生専用型光ディスクと同様の再生専用の記録領域とを、一枚の光ディスクの外周寄り領域及び内周寄り領域に分けて併せ持つ情報記録媒体である。
【０００９】
加えて、映画コンテンツ等の記録情報の著作権の保護や、機密性の確保は、一般的に、暗号化キー等の暗号化情報に基づいた暗号化システムによって実現されている。詳細には、この暗号化システムにおいては、暗号化情報は、記録情報と共に、予め記録されていたり、ネットワーク等の外部から取得されたりする。
【００１０】
【特許文献１】特開２００３−２４９０２２号公報
【特許文献２】特開２００２−１４０８２２号公報
【特許文献３】特開２００１−２６６３６２号公報
【特許文献４】特開２０００−３３１４１２号公報
【発明の開示】
【発明が解決しようとする課題】
【００１１】
しかしながら、ユーザが、例えばＨＤＤ内臓型のＤＶＤレコーダーに含まれるＨＤＤ等の一の記録媒体に記録（録画）したコンテンツを永久に保存したい場合、例えば記録型ＤＶＤ等の可搬性のある他の記録媒体へ、所望のコンテンツを複製（コピー）又は移動（ムーブ）しなければならない。この場合、ユーザは、一の記録媒体に記録され蓄積された、多数の種々様々なコンテンツの中から所望のコンテンツを取捨選択し、コンテンツのグルーピング（分類）の編集、及びタイトルや放送回等のコンテンツの属性に基づいた階層構造の編集等の整理整頓をして、所望のコンテンツを記録、複製又は移動しなければならない。このため、この整理整頓を伴った所望のコンテンツの記録、複製又は移動に際して、ユーザは多大な時間と労力とを掛けなければならないという技術的な問題点を有している。
【００１２】
本発明は、例えば上述した従来の問題点に鑑みなされたものであり、ユーザが、例えば記録媒体に記録された情報を、整理整頓しつつ、より簡便に記録、複製又は移動することを可能ならしめる情報記録媒体、情報記録装置及び方法、並びにコンピュータをこのような情報記録装置として機能させるコンピュータプログラムを提供することを課題とする。
【課題を解決するための手段】
【００１３】
上記課題を解決するために、請求項１に記載の情報記録媒体は、映像情報、音声情報、及び文字情報のうち少なくともいずれか１つのコンテンツを含む情報を記録可能なデータエリアと、前記情報の属性（タイトル）に基づいて、第１記録媒体（ＨＤ）から第２記録媒体（光ディスク）へ、前記情報を複製又は移動させる自動編集記録（自動的に、所望コンテンツを取捨選択し、属性の分類や属性の階層構造を編集しつつ他の媒体へ記録（移動）させる）を起動させるための起動情報を記録可能な起動情報記録エリアとを備える。
【００１４】
上記課題を解決するために、請求項１９に記載の情報記録装置は、属性を保持するコンテンツを含む情報を記録する情報記録装置であって、前記情報を記録する記録手段と、第１記録媒体（ＨＤ）に記録されている情報のうち、一の属性（タイトル「春のソナタ」）に対応される、他の属性（放送回「全て」）を保持する情報を検索する検索手段と、前記検索された情報を、前記第１記録媒体（ＨＤ）から第２記録媒体（光ディスク）へ記録させるように前記記録手段を制御する制御手段とを備える。
【００１５】
上記課題を解決するために、請求項２０に記載の情報記録装置は、属性を保持するコンテンツを含む情報を記録する情報記録装置であって、前記情報を記録する記録手段と、前記情報の属性（タイトル）に基づいて、第１記録媒体（ＨＤ）から第２記録媒体（光ディスク）へ、前記情報を複製又は移動させる自動編集記録を制御する制御情報を取得する取得手段と、前記取得された制御情報に基づいて、前記自動編集記録を行わせるように前記記録手段を制御する制御手段とを備える。
【００１６】
上記課題を解決するために、請求項２１に記載の情報記録方法は、属性を保持するコンテンツを含む情報を記録する記録手段を備えた情報記録装置における情報記録方法であって、第１記録媒体（ＨＤ）に記録されている情報のうち、一の属性（タイトル「春のソナタ」）に対応される、他の属性（放送回「全て」）を保持する情報を検索する検索工程と、前記検索された情報を、前記第１記録媒体（ＨＤ）から第２記録媒体（光ディスク）へ記録させるように前記記録手段を制御する制御工程とを備える。
【００１７】
上記課題を解決するために、請求項２２に記載の情報記録方法は、属性を保持するコンテンツを含む情報を記録する記録手段を備えた情報記録装置における情報記録方法であって、前記情報の属性（タイトル）に基づいて、第１記録媒体（ＨＤ）から第２記録媒体（光ディスク）へ、前記情報を複製又は移動させる自動編集記録を制御する制御情報を取得する取得工程と、前記取得された制御情報に基づいて、前記自動編集記録を行わせるように前記記録手段を制御する制御工程とを備える。
【００１８】
上記課題を解決するために、請求項２３に記載のコンピュータプログラムは、請求項１９に記載の情報記録装置に備えられたコンピュータを制御する記録制御用のコンピュータプログラムであって、該コンピュータを、前記記録手段、前記検索手段、及び、前記制御手段のうち少なくとも一部として機能させる。
【００１９】
上記課題を解決するために、請求項２４に記載のコンピュータプログラムは、請求項２０に記載の情報記録装置に備えられたコンピュータを制御する記録制御用のコンピュータプログラムであって、該コンピュータを、前記記録手段、前記取得手段、及び、前記制御手段のうち少なくとも一部として機能させる。
【００２０】
本発明の作用及び他の利得は次に説明する実施の形態から明らかにされよう。
【発明を実施するための最良の形態】
【００２１】
以下、発明を実施するための最良の形態としての本発明の実施形態に係る情報記録媒体、情報記録装置及び方法、並びにコンピュータプログラムについて順に説明する。
【００２２】
（情報記録媒体の実施形態）
以下、本発明の実施形態に係る情報記録媒体について説明する。
【００２３】
本発明の情報記録媒体に係る実施形態は、映像情報、音声情報、及び文字情報のうち少なくともいずれか１つのコンテンツを含む情報を記録可能なデータエリアと、前記情報の属性に基づいて、第１記録媒体（ＨＤ）から第２記録媒体（光ディスク）へ、前記情報を複製又は移動させる自動編集記録を起動させるための起動情報を記録可能な起動情報記録エリアとを備える。
【００２４】
本発明の情報記録媒体に係る実施形態によれば、自動編集記録を起動させるための起動情報を記録可能な起動情報記録エリアを備えて構成されている。ここに、本願発明に係る「自動編集記録」とは、コンテンツを少なくとも含む情報の属性に基づいて、情報を第１記録媒体（例えばＨＤ：Hard Disc）から第２記録媒体（例えば光ディスク）へ、自動的に記録、複製又は移動させる動作を意味する。特に、本発明の情報記録媒体は、第１記録媒体、及び第２記録媒体のうちいずれか一方であってもよい。或いは、第１記録媒体や、第２記録媒体とは異なる、例えば、コンパクトフラッシュ（登録商標）やＳＤメモリカード（Secure Digital memory card）等の第３記録媒体であるようにしてもよい。尚、当該情報記録媒体に記録される予定の、情報は、コンテンツ製作者側で決定されてもよいし、ユーザ側で決定されてもよい。
【００２５】
従って、当該情報記録媒体が、例えばＨＤＤ搭載型のＤＶＤレコーダー等の情報記録装置に挿入されるだけで、ＨＤ等の第１記録媒体に記録され蓄積された情報から、自動的に、ユーザ側やコンテンツ製作者側が所望する情報が取捨選択され、当該情報記録媒体に記録、複製又は移動される。
【００２６】
この結果、ユーザは、所望のコンテンツの記録、複製又は移動を、より短時間に、且つ大幅に省力化して行うことが可能となる。より詳細には、ユーザは、情報記録媒体毎に、所望のコンテンツが整理された、ユーザ固有のオリジナルの情報記録媒体を、より簡便に作成することが可能となる。
【００２７】
本発明の情報記録媒体に係る実施形態の一の態様では、前記自動編集記録は、更に、ユーザが所望する前記コンテンツを含む前記情報の属性に基づいて、前記情報を複製又は移動させる。
【００２８】
この態様によれば、例えばコンテンツ製作者側、又はユーザ側において、コンテンツを含む情報を自由に決定することが可能となるので、コンテンツの配信をより柔軟且つ適切に行うことが可能となる。
【００２９】
本発明の情報記録媒体に係る実施形態の他の態様では、前記起動情報記録エリアには、前記起動情報として、前記自動編集記録を起動可能か否かを示すフラグ情報が記録可能である。
【００３０】
この態様によれば、例えばＨＤＤ搭載型のＤＶＤレコーダー等の情報記録装置において、より迅速且つ的確に、自動編集記録を起動可能か否かが判定されることが可能となる。
【００３１】
本発明の情報記録媒体に係る実施形態の他の態様では、前記起動情報記録エリアには、前記起動情報として、前記属性（例えばタイトル）を示す属性情報（例えばコンテンツ参照情報）が記録可能である。
【００３２】
この態様によれば、情報記録媒体に記録された属性情報に基づいて、当該情報記録媒体に記録される情報のグルーピング（分類）の編集、及びタイトルや放送回等の情報の属性に基づいた階層構造の編集等の整理整頓を自動的に行いつつ、情報の自動編集記録を行うことが可能となる。
【００３３】
特に、属性情報は、メタデータによって構成されるようにしてもよい。ここに本願発明に係る「メタデータ」とは、例えば画像データ等の実データとは別に、当該実データの形式、性質、又は識別情報等の、実データに追加されるデータを記述した情報を意味する。
【００３４】
本発明の情報記録媒体に係る実施形態の他の態様では、前記起動情報記録エリアには、前記起動情報として、前記自動編集記録を制御するための制御情報（自動編集録画プログラム）が記録可能である。
【００３５】
この態様によれば、例えば自動編集録画プログラム等の制御情報は、後述される情報記録装置による、例えばローディング等の初期動作において、情報記録媒体の起動情報記録エリアから読み出され、初めて格納されるようにしてもよい。
【００３６】
この結果、情報記録装置の機能に依存しない自由度の高い自動編集記録を行うことが可能となる。
【００３７】
上述した制御情報に係る態様では、前記属性情報（コンテンツ参照情報）は、前記属性として、複数種類の属性要素（タイトルや日付や放送時間等）を示し、前記制御情報は、前記複数種類の属性要素のうち少なくとも一つに基づいて、前記自動編集記録を制御するように構成してもよい。
【００３８】
このように構成すれば、例えば自動編集録画プログラム等の制御情報の制御下で、複数種類の属性要素（タイトルや日付や放送時間等）に基づいて、ユーザ側やコンテンツ製作者側が所望する管理形態に近い管理形態で、自動編集記録を行うことが可能となる。
【００３９】
尚、自動編集記録と同時に又は相前後して、この自動編集記録に対応するように、属性情報に保持される属性要素に関する情報を更新するようにしてもよい。
【００４０】
更に、上述した制御情報に係る態様では、前記複数種類の属性要素は、当該属性要素の性質に基づいて、階層構造を形成可能であり、前記制御情報は、前記複数種類の属性要素における階層構造に基づいて、前記自動編集記録を制御するように構成してもよい。
【００４１】
このように構成すれば、例えば自動編集録画プログラム等の制御情報の制御下で、属性要素の性質に対応される階層構造をなす複数種類の属性要素に基づいて、ユーザ側やコンテンツ製作者側が所望する管理形態により近い管理形態で、自動編集記録を行うことが可能となる。
【００４２】
上述した制御情報に係る態様では、前記複数種類の属性要素は、当該属性要素の性質に基づいて、階層構造を形成可能であり、前記制御情報は、前記自動編集記録の制御として、当該自動編集記録の完了後に、前記階層構造に基づいて、前記情報を再生させるように構成してもよい。
【００４３】
このように構成すれば、例えば自動編集録画プログラム等の制御情報の制御下で、自動編集記録の完了後に、属性要素の性質に対応される階層構造をなす複数種類の属性要素に基づいて、自動編集記録された情報を、自動的に再生させるので、ユーザの利便性を高めることが可能となる。
【００４４】
上述した制御情報に係る態様では、前記制御情報は、前記自動編集記録の制御として、前記第１記録媒体（ＨＤ）に記録されている情報のうち、一の属性（例えばタイトル「春のソナタ」）に対応される、他の属性（例えば放送回「全て」）を保持する情報を、前記第２記録媒体（光ディスク）へ、複製又は移動させるように構成してもよい。
【００４５】
このように構成すれば、例えば自動編集録画プログラム等の制御情報の制御下で、一の属性に対応される他の属性に基づいて、ユーザ側やコンテンツ製作者側が所望する管理形態により近い管理形態で、自動編集記録を行うことが可能となる。
【００４６】
上述した制御情報に係る態様では、前記制御情報は、前記自動編集記録の制御として、一の属性（タイトル「春のソナタ」）に対応される、他の属性（放送回「全て」）を保持する情報を、外部ネットワーク、又は放送信号から、所定の時間に、前記第１記録媒体（ＨＤ）に記録させるように構成してもよい。
【００４７】
このように構成すれば、本発明に係る情報記録媒体を、例えばＨＤＤ搭載型のＤＶＤレコーダー等の情報記録装置に挿入するだけで、例えば放送番組の搬送波に含まれる電子番組表（ＥＰＧ）等を介して、記録したい所望のコンテンツを自動的に検索し、この検索されたコンテンツを自動的に第１記録媒体（例えばＨＤ）に記録するように、予約設定することが可能となる。
【００４８】
この結果、ユーザは、所望のコンテンツの第１記録媒体への、記録、複製又は移動を、より短時間に、且つ大幅に省力化して行うことが可能となる。
【００４９】
更に、上述した制御情報に係る態様では、前記制御情報は、前記自動編集記録の制御として、更に、前記他の属性（放送回「全て」）を保持する情報を、外部ネットワーク、又は放送信号から、所定の時間に、前記第２記録媒体（光ディスク）に記録させるように構成してもよい。
【００５０】
このように構成すれば、本発明に係る情報記録媒体を、例えばＨＤＤ搭載型のＤＶＤレコーダー等の情報記録装置に挿入するだけで、例えば放送番組の搬送波に含まれる電子番組表（ＥＰＧ）等を介して、記録したい所望のコンテンツを自動的に検索し、この検索されたコンテンツを自動的に第２記録媒体（例えば光ディスク）に記録するように、予約設定することが可能となる。
【００５１】
この結果、ユーザは、所望のコンテンツの第２記録媒体への、記録、複製又は移動を、より短時間に、且つ大幅に省力化して行うことが可能となる。
【００５２】
上述した起動情報記録エリアに係る態様では、前記起動情報記録エリアには、前記属性情報（コンテンツ参照情報）、及び前記制御情報（自動編集録画プログラム）のうち少なくとも一方の取得を制御するための取得制御情報（取得プログラム）が記録可能であるように構成してもよい。
【００５３】
このように構成すれば、取得制御情報の制御下で、属性情報、又は制御情報が取得されるので、情報記録媒体において、予め備えるべき情報を最小限にすることができるので、情報記録媒体に汎用性を持たせることが可能となる。
【００５４】
更に、上述した取得制御情報に係る態様では、前記取得制御情報（取得プログラム）は、外部ネットワーク（Internet）を介した前記一方の取得を、制御するように構成してもよい。
【００５５】
このように構成すれば、インターネット等の外部ネットワークを介して、属性情報、又は制御情報が、より迅速に且つ的確に取得されることが可能となる。
【００５６】
更に、上述した取得制御情報に係る態様では、前記取得制御情報（取得プログラム）は、放送信号に含まれる電子番組表（ＥＰＧ：Electric Program Guide）を介した前記一方の取得を、制御するように構成してもよい。
【００５７】
このように構成すれば、放送番組の搬送波に含まれる電子番組表（ＥＰＧ）等を介して、属性情報、又は制御情報が、より迅速に且つ的確に取得されることが可能となる。
【００５８】
本発明の情報記録媒体に係る実施形態の他の態様では、（ｉ）前記情報を暗号化又は復号化するための鍵となるキー情報、（ｉｉ）前記暗号化又は復号化を制御する暗復号化制御情報、及び（ｉｉｉ）前記暗号化又は復号化を管理しつつ、前記情報の再生を制御する再生制御情報のうち少なくとも一つを記録可能な制御情報記録エリアを更に備える。
【００５９】
この態様によれば、例えば暗号化又は復号化を管理しつつ、情報の再生を制御する再生制御情報に基づいて、暗号化及び復号化システムが構築されるので、著作権保護をより強固にすることが可能となる。
【００６０】
本発明の情報記録媒体に係る実施形態の他の態様では、前記情報に付加される付加情報（特典映像や広告等）を記録可能な付加情報記録エリアを更に備える。
【００６１】
この態様によれば、例えば自動編集録画プログラム等の制御情報の制御下で、例えば特典映像情報、コンテンツを説明するテキストデータ、又は広告情報等を含む付加情報が情報に付加されることで、ユーザ側やコンテンツ製作者側が所望する管理形態により近い管理形態で、自動編集記録を行うことが可能となる。
【００６２】
上述した各種エリアに係る態様では、前記起動情報記録エリア、前記制御情報記録エリア、及び前記付加情報記録エリアのうち少なくとも一つにおいては、各種情報がプリ記録されるように構成してもよい。
【００６３】
このように構成すれば、自動編集記録を行う上で予め必要な情報が、当該情報記録媒体にプリ記録されている。このため、ユーザは、当該情報記録媒体を、例えばＨＤＤ搭載型のＤＶＤレコーダー等の情報記録装置に挿入するだけで、簡単に自動編集記録を行うことが可能となる。
【００６４】
上述した各種エリアに係る態様では、前記情報記録媒体は、（ｉ）前記データエリア、及び（ｉｉ）前記情報の再生のみを専ら行うための再生専用エリア（例えばＲＯＭ（Read Only Memory）部）を少なくとも備えたハイブリッド型の情報記録媒体であり、前記起動情報記録エリア、前記制御情報記録エリア、及び前記付加情報記録エリアのうち少なくとも一つにおいては、各種情報が前記再生専用エリアの一部として予めプリ記録されているように構成してもよい。
【００６５】
このように構成すれば、本発明に係る情報記録媒体に各種情報がプリ記録された、ハイブリッド型の情報記録媒体が使用されることで、暗号化及び復号化システムをより簡便に構築し、著作権保護をより強固にすることが可能となる。
【００６６】
加えて、自動編集記録を行う上で予め必要な情報が、当該情報記録媒体にプリ記録されている。このため、ユーザは、当該情報記録媒体を、例えばＨＤＤ搭載型のＤＶＤレコーダー等の情報記録装置に挿入するだけで、簡単に自動編集記録を行うことが可能となる。
【００６７】
（情報記録装置の実施形態）
以下、本発明の実施形態に係る情報記録装置について説明する。
【００６８】
本発明の情報記録装置に係る第１実施形態は、属性を保持するコンテンツを含む情報を記録する情報記録装置であって、前記情報を記録する記録手段と、第１記録媒体（ＨＤ）に記録されている情報のうち、一の属性（タイトル「春のソナタ」）に対応される、他の属性（放送回「全て」）を保持する情報を検索する検索手段と、前記検索された情報を、前記第１記録媒体（ＨＤ）から第２記録媒体（光ディスク）へ記録させるように前記記録手段を制御する制御手段とを備える。
【００６９】
本発明の情報記録装置に係る第１実施形態によれば、制御手段の制御下で、検索手段によって、第１記録媒体（ＨＤ）に記録されている情報のうち、一の属性（タイトル「春のソナタ」）に対応される、他の属性（放送回「全て」）を保持する情報が検索される。
【００７０】
そして、制御手段の制御下で、記録手段によって、検索された情報が、第２記録媒体（光ディスク）に記録される。
【００７１】
従って、第２記録媒体が、例えばＨＤＤ搭載型のＤＶＤレコーダー等の情報記録装置に挿入されるだけで、第１記録媒体に記録され蓄積された情報から、自動的に、ユーザ側やコンテンツ製作者側が所望する情報が取捨選択され、第２記録媒体に記録、複製又は移動される。
【００７２】
この結果、ユーザは、所望のコンテンツの記録、複製又は移動を、より短時間に、且つ大幅に省力化して行うことが可能となる。
【００７３】
本発明の情報記録装置に係る第２実施形態は、属性を保持するコンテンツを含む情報を記録する情報記録装置であって、前記情報を記録する記録手段と、前記情報の属性（タイトル）に基づいて、第１記録媒体（ＨＤ）から第２記録媒体（光ディスク）へ、前記情報を複製又は移動させる自動編集記録を制御する制御情報を取得する取得手段と、前記取得された制御情報に基づいて、前記自動編集記録を行わせるように前記記録手段を制御する制御手段とを備える。
【００７４】
本発明の情報記録装置に係る第２実施形態によれば、制御手段の制御下で、取得手段によって、自動編集記録を制御する制御情報が取得される。
【００７５】
そして、制御手段の制御下で、記録手段によって、自動編集記録の動作において決定された情報が、第２記録媒体（光ディスク）に記録される。
【００７６】
従って、第２記録媒体が、例えばＨＤＤ搭載型のＤＶＤレコーダー等の情報記録装置に挿入されるだけで、第１記録媒体に記録され蓄積された情報から、自動的に、ユーザ側やコンテンツ製作者側が所望する情報が取捨選択され、第２記録媒体に記録、複製又は移動される。
【００７７】
この結果、ユーザは、所望のコンテンツの記録、複製又は移動を、より短時間に、且つ大幅に省力化して行うことが可能となる。
【００７８】
（情報記録方法に係る実施形態）
以下、本発明の実施形態に係る情報記録方法について説明する。
【００７９】
本発明の情報記録方法に係る第１実施形態は、属性を保持するコンテンツを含む情報を記録する記録手段を備えた情報記録装置における情報記録方法であって、第１記録媒体（ＨＤ）に記録されている情報のうち、一の属性（タイトル「春のソナタ」）に対応される、他の属性（放送回「全て」）を保持する情報を検索する検索工程と、前記検索された情報を、前記第１記録媒体（ＨＤ）から第２記録媒体（光ディスク）へ記録させるように前記記録手段を制御する制御工程とを備える。
【００８０】
本発明の情報記録方法に係る第１実施形態によれば、上述した本発明の情報記録装置に係る第１実施形態が有する各種利益を享受することが可能となる。
【００８１】
尚、上述した本発明の情報記録装置に係る第１実施形態が有する各種態様に対応して、本発明の情報記録方法に係る第１実施形態も各種態様を採ることが可能である。
【００８２】
本発明の情報記録方法に係る第２実施形態は、属性を保持するコンテンツを含む情報を記録する記録手段を備えた情報記録装置における情報記録方法であって、前記情報の属性（タイトル）に基づいて、第１記録媒体（ＨＤ）から第２記録媒体（光ディスク）へ、前記情報を複製又は移動させる自動編集記録を制御する制御情報を取得する取得工程と、前記取得された制御情報に基づいて、前記自動編集記録を行わせるように前記記録手段を制御する制御工程とを備える。
【００８３】
本発明の情報記録方法に係る第２実施形態によれば、上述した本発明の情報記録装置に係る第２実施形態が有する各種利益を享受することが可能となる。
【００８４】
尚、上述した本発明の情報記録装置に係る第２実施形態が有する各種態様に対応して、本発明の情報記録方法に係る第２実施形態も各種態様を採ることが可能である。
【００８５】
（コンピュータプログラムの実施形態）
以下、本発明の実施形態に係るコンピュータプログラムについて説明する。
【００８６】
本発明の記録制御用のコンピュータプログラムに係る第１実施形態は、上述した本発明の情報記録装置に係る第１実施形態（但し、その各種態様を含む）に備えられたコンピュータを制御する記録制御用のコンピュータプログラムであって、該コンピュータを、前記記録手段、前記検索手段、及び、前記制御手段のうち少なくとも一部として機能させる。
【００８７】
本発明の記録制御用のコンピュータプログラムに係る第２実施形態は、上述した本発明の情報記録装置に係る第２実施形態（但し、その各種態様を含む）に備えられたコンピュータを制御する記録制御用のコンピュータプログラムであって、該コンピュータを、前記記録手段、前記取得手段、及び、前記制御手段のうち少なくとも一部として機能させる。
【００８８】
本発明に係るコンピュータプログラムの第１及び第２実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置に係る第１及び第２実施形態を比較的簡単に実現できる。
【００８９】
尚、上述した本発明の情報記録装置に係る第１及び第２実施形態における各種態様に対応して、本発明のコンピュータプログラムに係る第１及び第２実施形態も各種態様を採ることが可能である。
【００９０】
本実施形態のこのような作用及び他の利得は次に説明する実施例から明らかにされる。
【００９１】
以上説明したように、本発明の情報記録媒体に係る実施形態によれば、データエリアと、起動情報記録エリアとを備える。従って、当該情報記録媒体を、例えばＨＤＤ搭載型のＤＶＤレコーダー等の情報記録装置に挿入するだけで、ＨＤＤ等に記録され蓄積されたコンテンツから自動的に、ユーザ側やコンテンツ製作者側が所望するコンテンツが取捨選択され、この情報記録媒体に記録、複製又は移動される。
【００９２】
また、本発明の情報記録装置及び方法に係る第１及び第２実施形態によれば、記録手段及び工程、制御手段及び工程、並びに、検索手段及び工程、若しくは、取得手段及び工程を備える。従って、当該情報記録装置に、情報記録媒体が挿入されるだけで、ＨＤＤ等に記録され蓄積されたコンテンツから自動的に、ユーザ側やコンテンツ製作者側が所望するコンテンツが取捨選択され、この情報記録媒体に記録、複製又は移動される。
【００９３】
また、本発明のコンピュータプログラムに係る第１及び第２実施形態によれば、コンピュータを上述した本発明の情報記録装置に係る第１及び第２実施形態として機能させるので、情報記録装置をして、情報記録媒体が挿入されるだけで、ＨＤＤ等に記録され蓄積されたコンテンツから自動的に、ユーザ側やコンテンツ製作者側が所望するコンテンツが取捨選択され、この情報記録媒体に記録、複製又は移動される。
【００９４】
上述した、本発明の実施形態によれば、ユーザ側やコンテンツ製作者側が所望するコンテンツの記録、複製又は移動を、より短時間に、且つ大幅に省力化して行うことが可能となる。
【実施例】
【００９５】
（１）情報記録媒体
先ず、図１から図５を参照して、本発明の情報記録媒体の実施例について詳細に説明する。
【００９６】
（１−１）基本構成
先ず図１を参照して、本発明の情報記録媒体の実施例に係る光ディスクの基本構造について説明する。ここに、図１は、本発明の情報記録媒体の第１実施例に係る、記録型の光ディスクの基本構造を示し、複数のエリアを有する光ディスクを概略的に示した平面図（図１（ａ））、及び、当該平面図に対応付けられると共に、その径方向におけるエリア構造を図式的に示した概念図（図１（ｂ））である。図２は、本発明の情報記録媒体の第１実施例に係る、記録型の光ディスクの記録層における、初期状態の記録領域（左側部）と、本発明に係る属性情報、及び制御情報のうち少なくとも一方が記録済み状態の記録領域（右側部）とを図式的に示した平面図である。
【００９７】
図１（ａ）及び図１（ｂ）に示されるように、光ディスク１００は、例えば、ＤＶＤと同じく直径１２ｃｍ程度のディスク本体上の記録面に、センターホール１を中心として本実施例に係るリードインエリア１０１、データエリア１０２、又は、リードアウトエリア１０３が設けられている。そして、光ディスク１００の例えば、透明基板１０６に、記録層が積層されている。そして、この記録層の各記録領域には、例えば、センターホール１を中心にスパイラル状或いは同心円状に、例えば、グルーブトラック及びランドトラック等のトラック１０が交互に設けられている。また、このトラック１０上には、データがＥＣＣブロック１１という単位で分割されて記録される。ＥＣＣブロック１１は、記録情報がエラー訂正可能なデータ管理単位である。
【００９８】
尚、本発明は、このような三つのエリアを有する光ディスクには特に限定されない。例えば、リードインエリア１０１又はリードアウトエリア１０３が存在せずとも、以下に説明するデータ構造等の構築は可能である。また、リードインエリア１０１又はリードアウト１０３は更に細分化された構成であってもよい。
【００９９】
また、本実施例に係る光ディスク１００は、図１（ｂ）に示されるように、例えば、透明基板１０６に、本実施例に係る記録層が積層された構造をしている。このような記録型の光ディスク１００の記録再生時には、図１（ｂ）中、下側から上側に向かって照射されるレーザ光ＬＢの集光位置を記録層に合わせることによって、各種情報の記録又は再生が行われる。
【０１００】
具体的には、図２中の左側部に示されるように、本発明の情報記録媒体の第１実施例に係る、記録型の光ディスクの記録層は、（ｉ）起動情報記録エリア１０５、及び（ｉｉ）例えば追記的に情報を記録可能なデータエリア１０２を備えて構成されるようにしてもよい。尚、記録層の記録領域において、データエリア１０２と、起動情報記録エリア１０５とが交互に形成されていてもよい。
【０１０１】
（ｉ）本願発明に係る起動情報記録エリア１０５は、例えば情報の再生のみ可能な再生専用型の属性を保持してもよい。即ち、起動情報記録エリア１０５においては、一般的に、改ざんすることを不可能とすべき情報や、プログラム等の制御情報が、例えばエンボスピットの形成によって、予め記録されるようにしてもよい。或いは、起動情報記録エリア１０５は、情報の書き換えが可能な記録型の属性を保持するようにしてもよい。更に、或いは、起動情報記録エリア１０５は、再生専用型の属性を保持する一の領域と、記録型の属性を保持する他の領域との両者が混在する、所謂、ハイブリッド型の光ディスクの記録領域において存在するようにしてもよい。
【０１０２】
より具体的には、起動情報記録エリア１０５においては、例えば、次に示される情報が記録（又は、予めプリ記録）されるようにしてもよい。
【０１０３】
必須的に記録される情報として、（ｉ−１）本発明の属性情報に係る「コンテンツ参照情報」、（ｉ−２）本発明の制御情報に係る「自動編集録画プログラム」、（ｉ−３）本発明の取得制御情報に係る「取得プログラム」を挙げることができる。尚、これらの属性情報等の詳細については、後述される。
【０１０４】
選択的に記録される情報として、（ｉ−４）暗号化のためのキー情報、及び本発明の暗号化制御情報に係る、コンテンツを暗号化して記録するための「暗号化プログラム」、（ｉ−５）復号化のためのキー情報、及び本発明の復号化制御情報に係る、コンテンツを復号化して記録するための「復号化プログラム」、（ｉ−６）本発明の再生制御情報に係る、暗号化又は復号化を管理しつつ再生を制御する「再生用プログラム」、（ｉ−７）例えば特典映像情報、コンテンツを説明するテキストデータ、又は広告情報等を含む付加情報を挙げることができる。尚、再生用プログラムは、所謂、プレーヤソフトであり、例えばＰＣ（Personal Computer）等において、コンテンツの著作権保護を強固にした再生動作を実現することが可能である。また、再生用プログラムは、ユーザにとって不可視の記録領域にプリ記録されるのが望ましい。
【０１０５】
尚、上述した（ｉ−１）から（ｉ−６）までの情報は、例えばＨＤＤ内臓型のＤＶＤレコーダー等の情報記録装置のメモリ等の記憶手段に格納されるようにしてもよい。
【０１０６】
（ｉｉ）データエリア１０２においては、例えばＨＤＤ内臓型のＤＶＤレコーダー等の情報記録装置によって、例えばＨＤＤ等の記録媒体に記録（録画）された映像コンテンツ等の情報を記録可能である。そして、情報が記録後は、記録済みの領域と未記録の領域とが、データエリア１０２において形成される。
【０１０７】
また、情報記録媒体に汎用性を持たせるために、上述した（ｉ−１）「コンテンツ参照情報」、又は（ｉ−２）「自動編集録画プログラム」は、「取得プログラム」によって、インターネットや電子番組表（ＥＰＧ）等を介してダウンロードされ、データエリア１０２に記録されるようにしてもよい。
【０１０８】
また、本実施例に係る光ディスク１００は、従来の単層型（１層型）の光ディスクに限定されるものではなく、例えば２層片面（デュアルレイヤ）や２層両面（デュアルレイヤーダブルサイド）等の２層型の光ディスクであってもよい。
【０１０９】
更には、例えば３層以上の記録層を有する多層型の光ディスクであってもよい。詳細には、本発明の情報記録媒体の第１実施例に係る光ディスクは、上述した第１の層に加えて記録、第２の記録層、及び、第３の記録層を備える多層構造をしたハイブリッド型の光ディスクであってもよい。この場合、光ディスクは、（ｉ）上述したようにデータエリア１０２と、起動情報記録エリア１０５とが混在して構成される第１の記録層、（ｉｉ）起動情報記録エリアだけを備えて構成される第２の記録層、及び（ｉｉｉ）データエリアだけを備えて構成される第３の記録層を備えて構成されるようにしてもよい。
【０１１０】
（１−２）属性情報の具体例
次に、図３から図５を参照して、本発明の「属性情報」の具体例について説明する。ここに、図３は、本発明の「属性情報」の一の具体例である「コンテンツ情報」に含まれる、本発明の「属性要素」を図式的に示した模式図（図３（ａ））、及び「属性情報」の他の具体例である「コンテンツ参照情報」に含まれる、「属性要素」の階層構造を図式的に示した模式図（図３（ｂ））である。
【０１１１】
図３（ａ）に示されるように、本発明の「属性情報」の一の具体例である「コンテンツ情報」は、例えば放送番組等のコンテンツにおける「属性要素」として、次のような情報を示すようにしてもよい。「属性要素」として、具体的には、（ｉ）例えば「ＱＢ３分クッキング」等の「タイトル名」、（ｉｉ）例えば「料理番組」等の「ジャンル名」、（ｉｉｉ）例えば「２００５年１月７日」等の「日付」、（ｉｖ）例えば「午後６時４５分」等の「放送時間」、（ｖ）例えば「８ｃｈ」等の「チャンネル番号」、（ｖｉ）例えば「第５２回」等の「放送回」、（ｖｉｉ）例えば「山川太郎」等の「出演者名」、（ｖｉｉｉ）例えば「和食」等の「見出し」、（ｉｖ）例えば「４月」等の「放送月」等を挙げることができる。
【０１１２】
図３（ｂ）に示されるように、本発明の「属性情報」の他の具体例である「コンテンツ参照情報」においては、コンテンツを管理するために、階層構造をした「属性要素」を示すようにしてもよい。即ち、「コンテンツ参照情報」においては、例えば３つの階層に基づいて、属性要素を示すようにしてもよい。
【０１１３】
具体的には、上位の階層において、属性要素「１」、又は属性要素「２」等を示す。属性要素「１」に属される中位の階層においては、属性要素「１−１」、又は属性要素「１−２」等を示す。属性要素「１−１」に属される下位の階層においては、属性要素「１−１−１」、又は属性要素「１−１−２」等を示す。
【０１１４】
尚、各属性要素には、上述したコンテンツ情報に含まれる属性要素を指定することができる。また、上位の階層と、その階層に属される下位の階層は、何の制限も無く自由に決定することができる。具体的には、属性要素「１」に「タイトル名」を指定し、属性要素「１−１」に「日付」を指定してもよい。他方、逆に、属性要素「１」に「日付」を指定し、属性要素「１−１」に「タイトル名」を指定してもよい。
【０１１５】
更に、具体的には、図４及び図５に示されるように、ユーザ側やコンテンツ製作者側が所望するコンテンツの管理形態に基づいて、「属性要素」の階層構造を決定してもよい。ここに、図４は、本発明の「属性要素」の階層構造の一及び他の具体例を、コンテンツの管理形態に着目して、図式的に示した模式図（図４（ａ）、図４（ｂ）、及び図４（ｃ））である。図５は、本発明の「属性要素」の階層構造の他の具体例を、コンテンツの管理形態に着目して、図式的に示した模式図である。
【０１１６】
図４（ａ）に示されるように、例えば放送番組等のコンテンツが、例えば「連続ドラマ」である場合、２つの階層を保持する階層構造が構築されるようにしてもよい。即ち、この階層構造において、上位の階層である属性要素「１」に「タイトル名」を指定し、その下位の階層である属性要素「１−１」や「１−２」等に「放送回」を指定するようにしてもよい。よって、属性要素「１」において、「春のソナタ」が代入され、属性要素「１−１」において、「第１回」と代入され、属性要素「１−２」において、「第２回」と代入され、以下記録された順番に従って、「第３回」、「第４回」、・・・と代入される。
【０１１７】
また、図４（ｂ）に示されるように、例えば放送番組等のコンテンツが、例えば「料理番組」である場合、「タイトル名」を基準とした、３つの階層を保持する階層構造が構築されるようにしてもよい。即ち、この階層構造において、上位の階層である属性要素「１」に「タイトル名」を指定し、中位の階層である属性要素「１−１」や「１−２」等に「放送月」を指定し、下位の階層である属性要素「１−１−１」や「１−１−２」等に「見出し」を指定するようにしてもよい。よって、属性要素「１」において、「ＱＢ３分クッキング」が代入され、属性要素「１−１」において、「４月」と代入され、属性要素「１−２」において、「５月」と代入され、属性要素「１−１−１」において、「和食」と代入され、属性要素「１−１−２」において、「洋食」と代入され、以下記録された順番に従って、「中華」、「トルコ風」、・・・と代入される。
【０１１８】
更に、また、図４（ｃ）に示されるように、例えば放送番組等のコンテンツが、例えば「料理番組」である場合、「ジャンル名」を基準とした、３つの階層を保持する階層構造が構築されるようにしてもよい。即ち、この階層構造において、上位の階層である属性要素「１」に「ジャンル名」を指定し、中位の階層である属性要素「１−１」や「１−２」等に「見出し」を指定し、下位の階層である属性要素「１−１−１」や「１−１−２」等に「タイトル名」を指定するようにしてもよい。よって、属性要素「１」において、「料理番組」が代入され、属性要素「１−１」において、「和食」と代入され、属性要素「１−２」において、「洋食」と代入され、属性要素「１−１−１」において、「ＱＢ３分クッキング」と代入され、属性要素「１−１−２」において、「今週の料理」と代入され、以下記録された順番に従って、「明日の料理」、「食べ辛抱万歳」、・・・と代入される。
【０１１９】
更に、また、図５に示されるように、録画（記録）されるコンテンツを想定し、このコンテンツを説明するテキストデータや、特典映像情報や、広告情報等を含む付加情報が、当該光ディスクに、予めプリ記録され、録画（記録）されたコンテンツと共に、グルーピング（分類）して編集されるようにしてもよい。
【０１２０】
即ち、例えば放送番組等のコンテンツが、例えば「連続ドラマ」である場合、２つの階層を保持する階層構造が、付加情報が付加されて構築されるようにしてもよい。即ち、この階層構造において、上位の階層である属性要素「１」に「タイトル名」を指定し、その下位の階層である属性要素「１−１」や「１−２」等に「放送回」を指定し、この属性要素「１−１」や「１−２」等に付加情報が夫々付加されるようにしてもよい。よって、属性要素「１」において、「春のソナタ」が代入され、属性要素「１−１」において、「第１回」と代入され、この「第１回」に対応される「コンテンツデータ」に加えて、この「第１回（第１話）」のあらすじを説明するテキストデータや特典映像情報等の付加情報が付加されて構築されるようにしてもよい。また、属性要素「１−２」において、「第２回」と代入され、この「第２回」に対応される「コンテンツデータ」に加えて、この「第２回（第２話）」のあらすじを説明するテキストデータや特典映像情報等の付加情報が付加されて構築されるようにしてもよい。以下記録された順番に従って、「第３回」と付加情報、「第４回」と付加情報、・・・と構築されるようにしてもよい。
【０１２１】
この結果、ユーザは、後述されように、再生の際には、例えば「放送回」の単位でグルーピング（分類）されたあらすじを説明するテキストデータや特典映像情報等を視聴することが可能となる。
【０１２２】
（２）情報記録装置
次に図６から図１１を参照して、本発明の情報記録装置に係る第１実施例について説明する。尚、以下の説明においては、受信データの記録のみならず受信データの再生を行うこともできる、例えば、ＨＤＤ搭載型のＤＶＤレコーダー等の情報記録再生装置を、本発明における情報記録装置の一具体例として説明を進める。
【０１２３】
（２−１）基本構成
先ず図６を参照して、本発明の情報記録装置の第１実施例に係る情報記録再生装置の基本構成について説明を進める。ここに、図６は、本発明の情報記録装置の第１実施例に係る情報記録再生装置の基本構成を概念的に示した論理ブロック図である。
【０１２４】
図６に示されるように、情報記録再生装置１０００は、（ｉ）例えば、ＣＰＵ（Central Processing Unit）等の各種制御及び管理を行う構成要素として、次の４種類の管理部を備えて構成されてもよい。即ち、（ｉ−１）本願発明の「検索手段」の一例を構成する電子番組表（ＥＰＧ）管理部１０１、（ｉ−２）本願発明の「制御手段」の一例を構成する録画予約管理部１０２、（ｉ−３）本願発明の「記録手段」の一例を構成する記録管理部１０３、（ｉ−４）再生管理部１０４を備えて構成されている。
【０１２５】
更に、情報記録再生装置１０００は、（ｉｉ）本願発明の「第１記録媒体」及び「第２記録媒体」の一例を構成するＨＤＤやＤＶＤ等を含む番組記録部２００、（ｉｉｉ）記録系の構成要素として、チューナ３０１、Ａ／Ｄ（Analog to digital）コンバータ３０２、ＭＰＥＧ２エンコーダ３０３、（ｉｖ）再生系の構成要素として、ＭＰＥＧ２デコーダ４０１、Ｄ／Ａ（Digital to Analog）コンバータ、テレビモニター４０３、並びに、（ｖ）ユーザとインタフェースとして、ユーザ指示入力部５００を備えて構成されている。
【０１２６】
（２−２）自動編集記録の原理
次に、図７から図１１に加えて前述した図６を適宜参照して、本発明に係る自動編集記録の原理について説明する。
【０１２７】
（２−２−１）自動編集記録の全体的な原理
先ず、図７を参照して、本発明の自動編集記録の全体的な原理について説明する。ここに、図７は、本発明の自動編集記録の全体的な原理を概念的に示した模式図である。
【０１２８】
図７の上段部において示されるように、本発明の情報記録媒体の実施例に係る光ディスクに、本発明の属性情報に係る「コンテンツ参照情報」が、例えばコンテンツ製作者側によって、例えば起動情報記録エリア１０５にプリ記録される。尚、この「コンテンツ参照情報」は、前述したように、本発明の取得制御情報に係る「取得プログラム」によって、インターネットや電子番組表（ＥＰＧ）等を介してダウンロードされ、データエリア１０２に記録されるようにしてもよい。
【０１２９】
このことによって、「コンテンツ参照情報」がプリ記録されることによって、情報記録媒体が、自動編集記録のための媒体（以下、適宜「自動編集記録用媒体」と称す）となる。
【０１３０】
次に、図７の中段部において示されるように、コンテンツ参照情報がプリ記録された情報記録媒体が、本発明の制御情報に係る「自動編集録画プログラム」が格納された、例えばメモリ等の記憶手段を備えた情報記録再生装置に挿入される。尚、この「自動編集録画プログラム」を実行することが可能な情報記録再生装置を、適宜「自動編集録画機能を搭載した情報記録再生装置」と称す。
【０１３１】
次に、図７の下段部において示されるように、情報記録再生装置に格納された「自動編集録画プログラム」に基づいて、情報記録再生装置のＨＤＤに記録され蓄積されたコンテンツから自動的に所望のコンテンツが取捨選択され、挿入された情報記録媒体に複製又は移動される。
【０１３２】
更に、情報記録媒体にプリ記録されたコンテンツ参照情報（前述した図３から図５における説明を参照）に基づいて、当該情報記録媒体に記録されたコンテンツのグルーピング（分類）の編集、及びタイトルや放送回等のコンテンツの属性に基づいた階層構造の編集等の整理整頓を自動的に行うことが可能となる。
【０１３３】
（２−２−２）自動編集記録の詳細な動作原理
次に、図８を参照して、本発明の情報記録装置の第１実施例に係る情報記録再生装置において行われる自動編集記録の詳細な動作原理について説明する。ここに、図８は、本発明の情報記録装置の第１実施例に係る情報記録再生装置において行われる自動編集記録の詳細な動作原理を概念的に示した模式図である。
【０１３４】
図８に示されるように、先ず、コンテンツ参照情報が起動情報記録エリア１０５において記録された情報記録媒体が、自動編集録画機能を搭載した情報記録再生装置に挿入されると、情報記録再生装置に格納された「自動編集録画プログラム」に基づいて、コンテンツ参照情報（図３（ｂ）を参照）が読み込まれる（ステップＳ１０）。
【０１３５】
次に、情報記録再生装置に格納された「自動編集録画プログラム」に基づいて、情報記録再生装置のＨＤＤに記録され蓄積された、例えば放送番組等の複数種類のコンテンツが夫々保持するコンテンツ情報（図３（ａ）を参照）が、全て読み込まれる（ステップＳ２０）。
【０１３６】
次に、情報記録再生装置に格納された「自動編集録画プログラム」に基づいて、読み込まれたコンテンツ参照情報と、読み込まれた全てのコンテンツ情報とが照合（比較）される（ステップＳ３０）。
【０１３７】
次に、情報記録再生装置に格納された「自動編集録画プログラム」に基づいて、照合（比較）の結果、階層構造を保持するコンテンツ参照情報に含まれる属性要素と一致した属性要素を保持するコンテンツ情報、及び当該コンテンツ情報に対応されるコンテンツが取捨選択的に検出される（ステップＳ４０）。
【０１３８】
次に、情報記録再生装置に格納された「自動編集録画プログラム」に基づいて、検出されたコンテンツが、挿入された情報記録媒体に複製又は移動される（ステップＳ５０）。尚、複製又は移動と同時に又は相前後して、この複製又は移動に対応するように、コンテンツ参照情報に保持される属性要素に関する情報を更新するようにしてもよい。
【０１３９】
また、コンテンツの再生の際、複製又は移動時のコンテンツ参照情報の階層構造によって示される分類に従わないようにしてもよい。即ち、コンテンツ参照情報に基づいて、例えば情報記録再生装置に格納された再生専用ソフトが新しく分類を行うようにしてもよい。
【０１４０】
以上のように、情報記録再生装置に格納された「自動編集録画プログラム」における「照合」等に基づいて、情報記録再生装置のＨＤＤに記録され蓄積されたコンテンツから自動的に、ユーザ側やコンテンツ製作者側が所望するコンテンツが取捨選択され、挿入された情報記録媒体に複製又は移動される。
【０１４１】
更に、情報記録媒体にプリ記録されたコンテンツ参照情報（前述した図３から図５における説明を参照）に基づいて、当該情報記録媒体に記録されたコンテンツのグルーピング（分類）の編集、及びタイトルや放送回等のコンテンツの属性に基づいた階層構造の編集等の整理整頓を自動的に行うことが可能となる。
【０１４２】
（２−２−３）自動編集記録の動作原理の一の具体例
次に、図９及び図１０を参照して、本発明の情報記録装置の第１実施例に係る情報記録再生装置において行われる自動編集記録の動作原理の一の具体例について説明する。ここに、図９は、本発明の情報記録装置の第１実施例に係る情報記録再生装置において行われる自動編集記録の動作原理の一の具体例を示したフローチャートである。図１０は、図９の自動編集記録におけるサブルーチンを示したフローチャートである。
【０１４３】
先ず、自動編集記録用媒体が、情報記録再生装置に挿入される（ステップＳ１０１）。
【０１４４】
次に、例えば情報記録再生装置に格納された「自動編集録画プログラム」に基づいて、自動編集記録を行うか否かが判定される（ステップＳ１０２）。具体的には、コンテンツ参照情報が情報記録媒体の所定の領域に記録されているか否かが判定されるようにしてもよい。或いは、例えばコントロールデータゾーン等の管理領域に記録されている、コンテンツ参照情報が存在するか否かを示すフラグ情報に基づいて、情報記録再生装置が判定するようにしてもよい。更に、或いは、ユーザによるボタン操作によっても、自動編集記録を行うか否かが決定されるようにしてもよい。
【０１４５】
尚、本具体例では、「自動編集録画プログラム」は、情報記録再生装置に予め格納されているが、例えばローディング等の初期動作において、情報記録媒体から読み出され、初めて格納されるようにしてもよい。
【０１４６】
ここで、自動編集記録を行う場合（ステップＳ１０２：Ｙｅｓ）、例えば情報記録再生装置に格納された「自動編集録画プログラム」に基づいて、自動編集記録が行われる（ステップＳ１０３）。
【０１４７】
ここで、図１０を参照して、自動編集記録の一具体例について詳細に説明する。
【０１４８】
先ず、例えば情報記録再生装置に格納された「自動編集録画プログラム」に基づいて、例えばＨＤＤ等の記録媒体に記録（録画）されている「Ｎ個」のコンテンツに対する、「Ｎ個」のコンテンツ情報に保持される属性要素を対象として、検索が開始される（ステップＳ２０１）。尚、本具体例においては、「Ｎ個」のコンテンツがハードディスク（ＨＤ）に録画されている場合について説明する。
【０１４９】
次に、「自動編集録画プログラム」の制御下で、「変数ｉ」に対して、「１」が代入される（ステップＳ２０２）。
【０１５０】
次に、「自動編集録画プログラム」の制御下で、情報記録媒体にプリ記録された、階層構造を保持するコンテンツ参照情報に含まれる「１番目」の属性要素と、ＨＤＤに録画されているコンテンツに対応されるコンテンツ情報に含まれる「１番目」の属性要素とが一致するか否かが判定される（ステップＳ２０３）。ここで、一致した場合（ステップＳ２０３：Ｙｅｓ）、情報記録媒体に複製又は移動すべきコンテンツとして、例えばメモリ等の記憶手段に登録（格納）される（ステップＳ２０４）。尚、この登録の代わりに、直接的に情報記録媒体に複製又は移動するようにしてもよい。
【０１５１】
次に、「自動編集録画プログラム」の制御下で、「変数ｉ」が、「Ｎ」に等しいか否かが判定される（ステップＳ２０５）。ここで、「変数ｉ」が、「Ｎ」に等しくない場合（ステップＳ２０５：Ｎｏ）、「変数ｉ」が、「１」だけ増加（インクリメント）される（ステップＳ２０６）。そして、再び、「自動編集録画プログラム」の制御下で、コンテンツ参照情報に含まれる「２番目」の属性要素と、ＨＤＤに録画されているコンテンツに対応されるコンテンツ情報に含まれる「２番目」の属性要素とが一致するか否かが判定される（ステップＳ２０３）。
【０１５２】
以下、同様にして、ステップＳ２０３からステップＳ２０６が繰り返される。
【０１５３】
他方、ステップＳ２０５の判定の結果、「変数ｉ」が、「Ｎ」に等しくなった場合（ステップＳ２０５：Ｙｅｓ）、ステップＳ２０４において、複製又は移動すべきコンテンツとして、例えばメモリ等の記憶手段に登録（格納）された、全てのコンテンツが、「自動編集録画プログラム」の制御下で、情報記録媒体に複製又は移動される（ステップＳ２０７）。
【０１５４】
次に、「自動編集録画プログラム」の制御下で、情報記録媒体にプリ記録されていたコンテンツ参照情報が、新しい情報を反映するように更新され、例えばデータエリア等において記録されるようにしてもよい（ステップＳ２０８）
再び、図９に戻る。
【０１５５】
例えば情報記録再生装置に格納された「自動編集録画プログラム」に基づいて、コンテンツ参照情報によって決定された対象となるコンテンツが、全て、情報記録媒体に複製又は移動されたか否かが判定される（ステップＳ１０４）。ここで、対象となるコンテンツが、全て、情報記録媒体に複製又は移動された場合（ステップＳ１０４：Ｙｅｓ）、自動編集記録用媒体が、情報記録再生装置から排出される（ステップＳ１０５）。
【０１５６】
他方、ステップＳ１０４の判定の結果、対象となるコンテンツが、全て、情報記録媒体に複製又は移動されていない場合（ステップＳ１０４：Ｎｏ）、再び、自動編集記録が行われる（ステップＳ１０３）。
【０１５７】
（２−２−４）自動編集記録の動作原理の他の具体例
次に、図１１を参照して、本発明の情報記録装置の第１実施例に係る情報記録再生装置において行われる自動編集記録の動作原理の他の具体例について説明する。ここに、図１１は、本発明の情報記録装置の第１実施例に係る情報記録再生装置において行われる自動編集記録の動作原理の他の具体例を示したフローチャートである。尚、前述の図９における処理と同様のステップには、同様のステップ番号を付し、それらの説明は適宜、省略する。
【０１５８】
図１１に示されるように、前述したステップＳ１０４の判定の結果、対象となるコンテンツが、全て、情報記録媒体に複製された場合（ステップＳ１０４：Ｙｅｓ）、情報記録再生装置のＨＤＤ等の記録媒体から、複製されたコンテンツが全て削除される（ステップＳ３０１）。
【０１５９】
この結果、例えばコピーワンス規格等の著作権保護を実現するための所定のシステムを、適切に実現することが可能となる。
【０１６０】
（３）コンテンツ参照情報等の取得方法
次に、図１２から図１４を参照して、コンテンツ参照情報や自動編集録画プログラムの取得方法の具体例について説明する。ここに、図１２は、本発明の「属性情報」に係るコンテンツ参照情報等の取得方法の一の具体例を概念的に示した模式図である。図１３は、本発明の「属性情報」に係るコンテンツ参照情報等の取得方法の他の具体例を概念的に示した模式図である。図１４は、本発明の「属性情報」に係るコンテンツ参照情報等の取得方法の他の具体例を概念的に示した模式図である。
【０１６１】
（３−１）コンテンツ参照情報や自動編集録画プログラムの取得方法の一の具体例
図１２に示されるように、コンテンツ参照情報や自動編集録画プログラム等がプリ記録され、格納された自動編集記録用媒体は、例えばコンテンツ製作者側等によって製造され、例えば量販店等において販売され、ユーザに流布されるようにしてもよい。或いは、例えば雑誌等の付録として添付され、ユーザに流布されるようにしてもよい。
【０１６２】
この結果、この自動編集記録用媒体が、情報記録再生装置に挿入されることによって、自動編集録画プログラムの制御下で、自動編集記録が開始されることが可能となる。前述したように、「自動編集録画プログラム」は、情報記録再生装置に予め格納されているが、例えばローディング等の初期動作において、情報記録媒体から読み出され、初めて格納されるようにしてもよい。
【０１６３】
（３−２）コンテンツ参照情報や自動編集録画プログラムの取得方法の他の具体例
図１３に示されるように、コンテンツ参照情報や自動編集録画プログラム等は、例えば「取得プログラム」によって、インターネット等の外部ネットワークを介してダウンロードされ、データエリア１０２に記録されるようにしてもよい。尚、「取得プログラム」は、情報記録再生装置に予め格納されていてもよいし、例えばローディング等の初期動作において、情報記録媒体から読み出され、初めて格納されるようにしてもよい。
【０１６４】
具体的には、図１３に示されるように、先ず、情報記録媒体が挿入される（ステップＳ１）。次に、例えばＰＣドライブ等の情報記録再生装置は、インターネット等の外部ネットワークを介して、例えばサーバー等の情報配信装置に、自動的又は他動的にアクセスする（ステップＳ２）。次に、情報記録再生装置は、インターネット等の外部ネットワークを介して、情報配信装置から、コンテンツ参照情報や自動編集録画プログラム等をダウンロードする（ステップＳ３）。次に、情報記録再生装置は、ダウンロードされたコンテンツ参照情報や自動編集録画プログラム等を情報記録媒体に記録する（ステップＳ４）。このようにして、自動編集記録用媒体の作成が完成される。
【０１６５】
この結果、情報記録媒体において、予め備えるべき情報を持たない市販の情報記録媒体を使用することも可能であるため、情報記録媒体に汎用性を持たせることが可能となる。
【０１６６】
（３−３）コンテンツ参照情報や自動編集録画プログラムの取得方法の他の具体例
図１４に示されるように、コンテンツ参照情報や自動編集録画プログラム等は、例えば「取得プログラム」によって、放送番組の搬送波に含まれる電子番組表（ＥＰＧ）等を介してダウンロードされ、データエリア１０２に記録されるようにしてもよい。
【０１６７】
具体的には、図１４に示されるように、先ず、情報記録媒体が挿入される（ステップＳ１ａ）。次に、例えばＨＤＤ内臓型のＤＶＤレコーダー等の情報記録再生装置は、放送番組の搬送波を介して、例えば放送局等の情報配信基地に、自動的又は他動的にアクセスする（ステップＳ２ａ）。次に、情報記録再生装置は、放送番組の搬送波を介して、情報配信基地から、コンテンツ参照情報や自動編集録画プログラム等をダウンロードする（ステップＳ３ａ）。次に、情報記録再生装置は、ダウンロードされたコンテンツ参照情報や自動編集録画プログラム等を情報記録媒体に記録する（ステップＳ４ａ）。このようにして、自動編集記録用媒体の作成が完成される。
【０１６８】
この結果、情報記録媒体において、予め備えるべき情報を持たない市販の情報記録媒体を使用することも可能であるため、情報記録媒体に汎用性を持たせることが可能となる。
【０１６９】
（４）第２実施例に係る自動編集記録
次に、図１５から図１７を参照して、本発明の情報記録装置の第２実施例に係る情報記録再生装置において行われる自動編集記録について説明する。
【０１７０】
（４−１）第２実施例に係る自動編集記録の詳細な動作原理
先ず、図１５を参照して、本発明の情報記録装置の第２実施例に係る情報記録再生装置において行われる自動編集記録の詳細な動作原理について説明する。ここに、図１５は、本発明の情報記録装置の第２実施例に係る情報記録再生装置において行われる自動編集記録の詳細な動作原理を概念的に示した模式図である。
【０１７１】
図１５に示されるように、先ず、コンテンツ参照情報がプリ記録された情報記録媒体が、自動編集録画機能を搭載した情報記録再生装置に挿入されると、情報記録再生装置に格納された、予約設定を含む「自動編集録画プログラム」に基づいて、コンテンツ参照情報（図３（ｂ）を参照）が読み込まれる（ステップＳ１０ａ）。
【０１７２】
次に、「自動編集録画プログラム」に基づいて、読み込まれた、階層構造を保持するコンテンツ参照情報に含まれる属性要素が参照される（ステップＳ２０ａ）。
【０１７３】
次に、情報記録再生装置に格納された「自動編集録画プログラム」に基づいて、参照された属性要素と一致した属性要素を保持するコンテンツが、例えば放送番組の搬送波に含まれる電子番組表（ＥＰＧ）等を介して、取捨選択的に検索される（ステップＳ３０ａ）。
【０１７４】
次に、「自動編集録画プログラム」に基づいて、検索されたコンテンツが、所定の時間に、情報記録媒体のデータエリアに記録させるように予約設定が自動的に行われる（ステップＳ４０ａ）。
【０１７５】
次に、「自動編集録画プログラム」に基づいて、予約設定されたコンテンツが、所定の時間に、リアルタイムで、情報記録媒体のデータエリアに直接的に記録される（ステップＳ５０ａ）。特に、予約設定の後、情報記録媒体のデータエリアへの記録に加えて、又は、代えて、例えばＨＤＤ等の記録媒体へ記録されるようにしてもよい。この場合、例えばＨＤＤ等の記録媒体へ記録された後で、第１実施例に係る自動編集記録が行われるようにしてもよい。
【０１７６】
以上のように、本発明に係る情報記録媒体を、例えばＨＤＤ搭載型のＤＶＤレコーダー等の情報記録装置に挿入するだけで、録画したい所望のコンテンツを自動的に検索し、この検索されたコンテンツを自動的に記録（録画）するように予約設定されることが可能となる。
【０１７７】
（４−２）第２実施例に係る自動編集記録の動作原理の一の具体例
次に、図１６及び図１７を参照して、本発明の情報記録装置の第２実施例に係る情報記録再生装置において行われる自動編集記録の動作原理の一の具体例について説明する。ここに、図１６は、本発明の情報記録装置の第２実施例に係る情報記録再生装置において行われる自動編集記録の動作原理の一の具体例を示したフローチャートである。ここに、図１７は、図１６の自動編集記録におけるサブルーチンを示した一及び他のフローチャート（図１７（ａ）及び図１７（ｂ））である。尚、前述の図９における処理と同様のステップには、同様のステップ番号を付し、それらの説明は適宜、省略する。
【０１７８】
先ず、自動編集記録用媒体が、情報記録再生装置に挿入される（ステップＳ１０１）。
【０１７９】
次に、例えば情報記録再生装置に格納された「自動編集録画プログラム」に基づいて、予約設定等を含む自動編集記録を行うか否かが判定される（ステップＳ４０１）。
【０１８０】
ここで、予約設定等を含む自動編集記録を行う場合（ステップＳ４０１：Ｙｅｓ）、例えば情報記録再生装置に格納された「自動編集録画プログラム」に基づいて、自動的な予約設定が行われる（ステップＳ４０２）。
【０１８１】
ここで、図１７（ａ）を参照して、自動的な予約設定の一具体例について詳細に説明する。
【０１８２】
先ず、例えば情報記録再生装置に格納された「自動編集録画プログラム」に基づいて、情報記録媒体から読み込まれた、階層構造を保持するコンテンツ参照情報に含まれる属性要素が参照される（ステップＳ５０１）。
【０１８３】
次に、「自動編集録画プログラム」に基づいて、参照された属性要素と一致した属性要素を保持するコンテンツが、例えば放送番組の搬送波に含まれる電子番組表（ＥＰＧ）等を介して、取捨選択的に検索される（ステップＳ５０２）。
【０１８４】
次に、「自動編集録画プログラム」に基づいて、検索されたコンテンツが、所定の時間に、情報記録媒体のデータエリアに記録させるように予約設定が自動的に行われる（ステップＳ５０３）。
【０１８５】
再び、図１６に戻る。
【０１８６】
次に、「自動編集録画プログラム」に基づいて、予約設定されたコンテンツが、所定の時間に、リアルタイムで、情報記録媒体のデータエリアに直接的に記録される（ステップＳ４０３）。
【０１８７】
ここで、図１７（ｂ）を参照して、予約設定されたコンテンツの記録動作の一具体例について詳細に説明する。
【０１８８】
先ず、例えば情報記録再生装置に格納された「自動編集録画プログラム」に基づいて、予約設定されたコンテンツが放送されるチャンネル番号や、例えば圧縮の程度を示す圧縮モード等の記録の際の各種パラメータが設定される（ステップＳ６０１）。
【０１８９】
次に、「自動編集録画プログラム」に基づいて、例えばＤＶＤ−Ｒ等の記録型の情報記録媒体が挿入されているか否かが判定される（ステップＳ６０２）。ここで、記録型の情報記録媒体が挿入されている場合（ステップＳ６０２：Ｙｅｓ）、更に、「自動編集録画プログラム」に基づいて、自動編集記録用媒体であるか否かが判定される（ステップＳ６０３）。ここで、自動編集記録用媒体である場合（ステップＳ６０３：Ｙｅｓ）、当該自動編集記録用媒体に、予約設定されたコンテンツが記録される（ステップＳ６０４）。
【０１９０】
他方、ステップＳ６０２の判定の結果、記録型の情報記録媒体が挿入されていない場合（ステップＳ６０２：Ｎｏ）、及びステップＳ６０３の判定の結果、自動編集記録用媒体でない場合（ステップＳ６０３：Ｎｏ）、例えばＨＤＤ等の記録媒体に、予約設定されたコンテンツが記録される（ステップＳ６０５）。
【０１９１】
再び、図１６に戻る。
【０１９２】
次に、例えば情報記録再生装置に格納された「自動編集録画プログラム」に基づいて、コンテンツ参照情報によって決定された対象となるコンテンツが、全て、情報記録媒体に複製又は移動されたか否かが判定される（ステップＳ１０４）。ここで、対象となるコンテンツが、全て、情報記録媒体に複製又は移動された場合（ステップＳ１０４：Ｙｅｓ）、自動編集記録用媒体が、情報記録再生装置から排出される（ステップＳ１０５）。
【０１９３】
他方、ステップＳ１０４の判定の結果、対象となるコンテンツが、全て、情報記録媒体に複製又は移動されていない場合（ステップＳ１０４：Ｎｏ）、再び、自動的な予約設定が行われる（ステップＳ４０２）。
【０１９４】
他方、ステップＳ４０１の判定の結果、予約設定等を含む自動編集記録を行わない場合や、既に所望のコンテンツがＨＤ等の記録媒体に記録されている場合（ステップＳ４０１：Ｎｏ）、「自動編集録画プログラム」に基づいて、前述した第１実施例に係る自動編集記録を行うか否かが判定される（ステップＳ１０２）。ここで、前述した第１実施例に係る自動編集記録を行うと判定された場合（ステップＳ１０２：Ｙｅｓ）、前述した第１実施例に係る自動編集記録が行われる（ステップＳ１０３）。
【０１９５】
他方、前述した第１実施例に係る自動編集記録を行わないと判定された場合（ステップＳ１０２：Ｎｏ）、自動編集記録用媒体が、情報記録再生装置から排出される（ステップＳ１０５）。
【０１９６】
（５）本実施例に係る情報記録再生装置の具体例
次に、図１８を参照して、本実施例に係る情報記録再生装置の具体例について説明する。
【０１９７】
（５−１）詳細構成
先ず、図１８を参照して、本実施例に係る情報記録再生装置の詳細構成について説明する。ここに、図１８は、本発明の情報記録装置の本実施例に係る情報記録再生装置の詳細構成を図式的に示すブロック図である。
【０１９８】
図１８に示されるように、情報記録再生装置１０００は、ＴＶ受信機1ａ、映像入力２、音声出力３、入力切換４、Ａ／Ｄ（Analog to digital）コンバータ５、Ａ／Ｄコンバータ６、ＴＶ信号デコーダ７、入力切換８、映像エンコーダ９、音声エンコーダ１０、マルチプレクサ１１、入力切換１２、ドライブ１入力切換１３、ドライブインターフェイス１４、ＨＤＤドライブ１５、ＨＤＤ１６、ドライブ２入力切換１７、ドライブインターフェイス１８、ＤＶＤドライブ１９、ＤＶＤ２０、再生切換２１、出力切換２２、デマルチプレクサ２３、画像デコーダ２４、音声デコーダ２５、出力切換２６、サムネイルＯＳＤ２７、ＴＶ信号エンコーダ２８、Ｄ／Ａコンバータ２９、映像出力３０、Ｄ／Ａ（Digital to Analog）コンバータ３１、音声出力３２、システムＣＰＵ３３、操作部３４、メモリー部３５、リモコン受光部３６、リモコン３７、デジタル受信機３８、ＩＥＥＥ１３９４デコーダ３９、ＴＳインプットプロセッサ４０、ＴＳアウトプットプロセッサ４１、ＩＥＥＥ１３９４エンコーダ４２、及び、ＩＥＥＥ１３９４出力４３を備えて構成されている。
【０１９９】
（５−２）詳細動作
（５−２−１）放送番組の記録を行う場合
次に、図１８を参照して、放送番組の記録の場合の詳細動作について詳細な構成と共に説明する。
【０２００】
（５−２−１−１）プログラムストリームの受信
ＴＶ受信機1ａはＶＨＦ又はＢＳなどのＲＦ信号を受信し、選択された受信帯域に同調して受信した信号波をＩＦ信号に変換するとともに、ＴＶ用映像信号及び音声信号に復調して入力切換４に出力する。
【０２０１】
入力切換４は、ＴＶ受信機１ａから出力された信号、及び、映像入力２、音声入力３からの信号を選択的に切り換え、映像信号をＡ／Ｄ（Analog to digital）コンバータ５に、音声信号をＡ／Ｄコンバータ６に出力する。
【０２０２】
Ａ／Ｄコンバータ５は、入力切換４によって選択されたＴＶ用アナログ信号をデジタル信号に変換してＴＶ信号デコーダ７に出力する。
【０２０３】
ＴＶ信号デコーダ７は、入力されたＴＶ用デジタル信号を復号化し、ＮＴＳＣ方式などの通常の映像信号に変換して入力切換８に出力する。
【０２０４】
Ａ／Ｄコンバータ６は、入力切換４によって選択されたアナログ音声信号をデジタル音声信号に変換して入力切換８に出力する。
【０２０５】
入力切換８には、ＴＶ信号デコーダ７、及び、Ａ／Ｄコンバータ６から出力された映像信号及び音声信号と、例えば、ＨＤＤからＤＶＤへダビングを行う場合、及び、ＤＶＤからＨＤＤへダビングを行う場合、ＨＤＤドライブ１５又はＤＶＤドライブ１９から出力され、デコードされた映像信号、及び、音声信号が入力される。この入力切換８は、後述されるシステムＣＰＵ３３の制御に基づいて、入力された映像信号および音声信号の何れかを選択し、選択した映像信号を映像エンコーダ９に、選択した音声信号を音声エンコーダ１０に出力する。
【０２０６】
映像エンコーダ９は、入力切換８によって選択された映像信号をＭＰＥＧフォーマットの映像データに変換し、マルチプレクサ１１に出力する。
【０２０７】
音声エンコーダ１０は、入力切換８によって選択された音声信号をＡＣ−３フォーマットの音声データに変換し、マルチプレクサ１１に出力する。
【０２０８】
マルチプレクサ１１は、入力された映像データおよび音声データに基づいてプログラムストリームを生成し、入力切換１２に出力する。
【０２０９】
入力切換１２には、マルチプレクサ１１から出力されたプログラムストリーム及び前述したＴＳインプットプロセッサ４０から出力されたトランスポートストリームが入力される。この入力切換１２は、システムＣＰＵ３３の制御に基づいて入力されたストリームを選択し、ドライブ1入力切換１３及びドライブ２入力切換１７に出力する。
【０２１０】
（５−２−１−２）トランスポートストリームの受信
デジタル受信機３８は、例えば、地上波デジタル放送を受信する。
【０２１１】
ＩＥＥＥ１３９４デコーダ３９は、デジタル受信機３８を介して入力されたＩＥＥＥ１３９４フォーマットのトランスポートストリームを通常のトランスポートストリームに変換し、ＴＳインプットプロセッサ４０に出力する。
【０２１２】
ＴＳインプットプロセッサ４０は、入力された通常のトランスポートストリームをＨＤＤ記録用のトランスポートストリームデータ（以下、適宜「ＨＤＤ記録用ＴＳデータ」）に変換し、入力切換１２に出力する。
【０２１３】
ＨＤＤドライブ１５には、ＡＴＡＰＩなどの規格に準拠したドライブインターフェイス１４が接続されており、ドライブインターフェイス１４には、入力切換１２からの出力を切り換えるドライブ１入力切換１３が接続されている。このドライブ１入力切換１３は、システムＣＰＵ３３の制御により入力源の切り換えを行う。尚、ＨＤＤドライブ１５は、入力切換１２を介して入力されたストリーム（ＴＳ、又は、ＰＳ）をＨＤＤ１６に記録するようになっている。
【０２１４】
（５−２−２）ＨＤＤから外部への出力、及び、サムネイルの表示を行う場合
情報記録再生装置１０００では、ＴＳアウトプットプロセッサ４１は、入力されたＨＤＤ記録用トランスポートストリームデータを通常のトランスポートストリームに変換し、ＩＥＥＥ１３９４エンコーダ４２に出力する。ＩＥＥＥ１３９４エンコーダ４２は、入力された通常のトランスポートストリームをＩＥＥＥ１３９４フォーマットのトランスポートストリームに変換し、ＩＥＥＥ１３９４出力４３を介して外部に出力する。またこれらＨＤＤドライブ１５に記録した各タイトルの代表番組情報を用いて、各タイトルの記録内容一覧、所謂、サムネイルをサムネイルＯＳＤ２７にて表示を行うことや、システムＣＰＵ３３によってメモリー部３５にてトランスポートストリームのタイトル一覧表示用ＢＭＬ（Broadcast Markup Language）データへと変換し、ＴＳアウトプットプロセッサ４１よりＩＥＥＥ１３９４エンコーダ４２を通ってＩＥＥＥ１３９４出力４３より出力することが可能である。
【０２１５】
（５−２−３）ＤＶＤへの記録、及び、ＤＶＤからの再生を行う場合
ＤＶＤドライブ１９には、ＡＴＡＰＩなどの規格に準拠したドライブインターフェイス１８が接続されており、ドライブインターフェイス１８にはＨＤＤドライブ１５からの出力又は入力切換１２からの出力を切り換えるドライブ２入力切換１７が接続されている。このドライブ２入力切換１７は、ドライブ１入力切換１３と同様に、システムＣＰＵ３３の制御により入力及び出力の切り換えを行う。また、このＤＶＤドライブ１９は、ＨＤＤドライブ１５と同様に、予め記録されたストリームを読み出し、ドライブインターフェイス１８を介して再生切換２１に出力するとともに、入力切換１２を介して入力されたストリームをＤＶＤ２０に記録するようになっている。
【０２１６】
再生切換２１は、ドライブインターフェイス１４を介してＨＤＤドライブ１５から出力されたストリームと、ドライブインターフェイス１７を介してＤＶＤドライブ１９から出力されたストリームと、の何れか一方をシステムＣＰＵ３３の制御に基づいて選択し、出力切換２２に出力する。
【０２１７】
出力切換２２は、システムＣＰＵ３３の制御に基づいて、再生切換２１から入力されたストリームを選択的に切り換え、プログラムストリームをデマルチプレクサ２３に、トランスポートストリームを後述するＴＳアウトプットプロセッサ４１に出力する。
【０２１８】
デマルチプレクサ２３は、出力切換２２によって選択されたプログラムストリームからＭＰＥＧ形式を有する映像データ及びＡＸＣ−３形式を有する音声データを分離し、分離した映像データおよび音声データを、それぞれ、画像デコーダ２４又は音声デコーダ２５に出力する。
【０２１９】
画像デコーダ２４は、入力されたＭＰＥＧ形式の映像データを復号化して映像信号に変換し、復号化されたデジタル信号を出力切換２６に出力する。
【０２２０】
音声デコーダ２５は、入力されたＡＣ−３形式の音声データを復号化して音声信号に変換し、復号されたデジタル音声信号を出力切換２６に出力する。
【０２２１】
出力切換２６には、ＴＶ信号デコーダ７から出力されたデジタル映像信号及びＡ／Ｄコンバータ６から出力されたデジタル音声信号と、画像デコーダ２４及び音声デコーダ２５によって復号されたデジタル画像信号およびデジタル音声信号と、が入力されるようになっており、この出力切換２６はシステムＣＰＵ３３の制御に基づいて、入力された映像信号及び音声信号を切り換えて、映像信号をサムネイルＯＳＤ２７に、音声信号をＤ／Ａ（Digital to Analog）コンバータ３１に、それぞれ、出力する。
【０２２２】
サムネイルＯＳＤ２７は、入力された映像信号に対して必要な文字情報等を重畳し、ＴＶ信号エンコーダ２８に出力する。
【０２２３】
ＴＶ信号エンコーダ２８は、入力された映像信号を外部のモニタなどに表示させるため、ＴＶ用の映像フォーマットに変換し、Ｄ／Ａコンバータ２９に出力する。
【０２２４】
Ｄ／Ａコンバータ２９は、入力されたＴＶ用デジタル映像信号をアナログ信号に変換し、映像出力３０を介して外部に出力する。
【０２２５】
Ｄ／Ａコンバータ３１は、入力されたデジタル音声信号をアナログ信号に変換し、音声出力３２を介して外部に出力する。
【０２２６】
システムＣＰＵ３３は、キー入力ポート、表示部出力ポート等の各種入出力ポートを含み、ＨＤＤ１６の再生及び記録、又はＤＶＤ２０の再生及び記録の各処理のための全般的な機能を総括的に制御する。尚、システムＣＰＵ３３は、ＨＤＤ１６の再生及び記録、又はＤＶＤ２０の再生及び記録の際に、メモリー部３５に格納される制御プログラムを読み出して各処理を実行し、メモリー部３５に処理中のデータを一時的に保持するようになっている。
【０２２７】
操作部３４は、各種確認ボタンおよび数字キー、上下左右カーソルキー等の多数のキーから構成され、キー操作に従って、又は、リモコン受光部３６から出力された所定の信号をシステムＣＰＵ３３に出力する。
【０２２８】
リモコン受光部３６は、リモコン３７から出射された赤外線光などの光ビームを受光し、所定の信号に変換して操作部３４に出力する。
【０２２９】
リモコン３７は、操作部３４と同様に、各種確認ボタンおよび数字キー、上下左右カーソルキー等の多数のキーから構成されている。
【０２３０】
上述した実施例では、情報記録媒体の一具体例として、例えば、ＤＶＤ−Ｒ又はＤＶＤ＋Ｒ、或いは、ＤＶＤ−ＲＷ又はＤＶＤ＋ＲＷ等の追記型又は書き換え型光ディスクについて説明したが、本発明は、例えば、２層型や３層型等のマルチプルレイヤ型の光ディスクにも適用可能である。更に、ブルーレーザーを記録再生に用いるディスク等の大容量記録媒体にも適用可能である。
【０２３１】
また、上述した実施例では、情報記録装置の一具体例として、例えば、ＤＶＤ−Ｒレコーダー又はＤＶＤ＋Ｒレコーダー等の追記用の情報記録再生装置について説明したが、本発明は、例えば、ＤＶＤ−ＲＷレコーダー又はＤＶＤ＋ＲＷレコーダー等の書き換え用の情報記録再生装置に適用可能である。更に、ブルーレーザーを記録再生に用いる大容量記録用の情報記録再生装置にも適用可能である。
【０２３２】
また、上述した実施例では、放送番組の搬送波として、地上波アナログ放送、又は、地上波デジタル放送を例にとって説明したが、ＢＳ（Broadcasting Satellite）や、ＣＳ（Communication Satellite）や、インターネット等を介して、配信される放送番組等のすべての放送形態に適用可能である。
【０２３３】
本発明は、上述した実施例に限られるものではなく、請求の範囲及び明細書全体から読み取れる発明の要旨或いは思想に反しない範囲で適宜変更可能であり、そのような変更を伴う情報記録媒体、情報記録装置及び方法、並びにコンピュータプログラムもまた本発明の技術的範囲に含まれるものである。
【図面の簡単な説明】
【０２３４】
【図１】本発明の情報記録媒体の第１実施例に係る、記録型の光ディスクの基本構造を示し、複数のエリアを有する光ディスクを概略的に示した平面図（図１（ａ））、及び、当該平面図に対応付けられると共に、その径方向におけるエリア構造を図式的に示した概念図（図１（ｂ））である。
【図２】本発明の情報記録媒体の第１実施例に係る、記録型の光ディスクの記録層における、初期状態の記録領域（左側部）と、本発明に係る属性情報、及び制御情報のうち少なくとも一方が記録済み状態の記録領域（右側部）とを図式的に示した平面図である。
【図３】本発明の「属性情報」の一の具体例である「コンテンツ情報」に含まれる、本発明の「属性要素」を図式的に示した模式図（図３（ａ））、及び「属性情報」の他の具体例である「コンテンツ参照情報」に含まれる、「属性要素」の階層構造を図式的に示した模式図（図３（ｂ））である。
【図４】本発明の「属性要素」の階層構造の一及び他の具体例を、コンテンツの管理形態に着目して、図式的に示した模式図（図４（ａ）、図４（ｂ）、及び図４（ｃ））である。
【図５】本発明の「属性要素」の階層構造の他の具体例を、コンテンツの管理形態に着目して、図式的に示した模式図である。
【図６】本発明の情報記録装置の第１実施例に係る情報記録再生装置の基本構成を概念的に示した論理ブロック図である。
【図７】本発明の自動編集記録の全体的な原理を概念的に示した模式図である。
【図８】本発明の情報記録装置の第１実施例に係る情報記録再生装置において行われる自動編集記録の詳細な動作原理を概念的に示した模式図である。
【図９】本発明の情報記録装置の第１実施例に係る情報記録再生装置において行われる自動編集記録の動作原理の一の具体例を示したフローチャートである。
【図１０】図９の自動編集記録におけるサブルーチンを示したフローチャートである。
【図１１】本発明の情報記録装置の第１実施例に係る情報記録再生装置において行われる自動編集記録の動作原理の他の具体例を示したフローチャートである。
【図１２】本発明の「属性情報」に係るコンテンツ参照情報等の取得方法の一の具体例を概念的に示した模式図である。
【図１３】本発明の「属性情報」に係るコンテンツ参照情報等の取得方法の他の具体例を概念的に示した模式図である。
【図１４】本発明の「属性情報」に係るコンテンツ参照情報等の取得方法の他の具体例を概念的に示した模式図である。
【図１５】本発明の情報記録装置の第２実施例に係る情報記録再生装置において行われる自動編集記録の詳細な動作原理を概念的に示した模式図である。
【図１６】本発明の情報記録装置の第２実施例に係る情報記録再生装置において行われる自動編集記録の動作原理の一の具体例を示したフローチャートである。
【図１７】図１６の自動編集記録におけるサブルーチンを示した一及び他のフローチャート（図１７（ａ）及び図１７（ｂ））である。
【図１８】本発明の情報記録装置の本実施例に係る情報記録再生装置の詳細構成を図式的に示すブロック図である。
【符号の説明】
【０２３５】
１００  光ディスク
１０１  リードインエリア
１０２  データエリア
１０３  リードアウトエリア
１０４  ミドルエリア
１０５  起動情報記録エリア
１０００  情報記録再生装置
ＬＢ    レーザ光
【図１】
2006236478.tif 000003
【図２】
2006236478.tif 000004
【図３】
2006236478.tif 000005
【図４】
2006236478.tif 000006
【図５】
2006236478.tif 000007
【図６】
2006236478.tif 000008
【図７】
2006236478.tif 000009
【図８】
2006236478.tif 000010
【図９】
2006236478.tif 000011
【図１０】
2006236478.tif 000012
【図１１】
2006236478.tif 000013
【図１２】
2006236478.tif 000014
【図１３】
2006236478.tif 000015
【図１４】
2006236478.tif 000016
【図１５】
2006236478.tif 000017
【図１６】
2006236478.tif 000018
【図１７】
2006236478.tif 000019
【図１８】
2006236478.tif 000020